(57)【特許請求の範囲】
【請求項１】
Ｐ２Ｐ（Ｐｏｉｎｔ ｔｏ Ｐｏｉｎｔ）無線通信装置のアンテナの本体を三脚の上部側の前方に設置するアンテナ取り付け部材であって、
前記三脚の上部に取り付けられる板状の本体部と、
前記本体部に接続される照準器取り付け部材と、
前記本体部に接続され、前記アンテナ取り付け部材に対する前記アンテナの方向を調整する調整機構と、を備え、
前記三脚は、前記上部において前記アンテナの方向を調整する方向調整機構を有し、
前記照準器取り付け部材は、アーム部を有し、
前記アーム部は、
一端が前記本体部の右または左側端部に接続され、他端が照準器に隣接し、
前記本体部の主面を基準として、前記三脚の前記方向調整機構側に突出して設けられ、
その長さを伸縮可能であり、且つ固定可能な構造を有する、
アンテナ取り付け部材。
【請求項２】
前記調整機構は、保持部を動かすことにより前記アンテナの方向を調整する、請求項１に記載のアンテナ取り付け部材。
【請求項３】
前記調整機構は、前記アンテナ取り付け部材に対する前記アンテナの水平方向又は垂直方向を調整するものである、請求項１又は２に記載のアンテナ取り付け部材。
【請求項４】
前記照準器取り付け部材の一部は、機械的な照準器である、請求項１〜３のいずれか一項に記載のアンテナ取り付け部材。
【請求項５】
前記照準器取り付け部材は、光学的照準器が取り付けられる構造を備える、請求項１〜４のいずれか一項に記載のアンテナ取り付け部材。
【請求項６】
前記照準器取り付け部材の取り付け位置と、前記調整機構の取り付け位置とは、置換可能に構成される、請求項１〜５のいずれか一項に記載のアンテナ取り付け部材。
【請求項７】
着脱ガイドをさらに備え、
前記着脱ガイドは、一対のレールであり、
前記レールの一方と前記照準器取り付け部材とは、一体成形された構造である、
請求項１〜６のいずれか一項に記載のアンテナ取り付け部材。
【発明の詳細な説明】
【技術分野】
【０００１】
本発明は、アンテナ取り付け部材に関し、特に、Ｐ２Ｐ（Ｐｏｉｎｔ ｔｏ Ｐｏｉｎｔ）無線通信装置のアンテナを設置場所に設置するアンテナ取り付け部材に関する。
【背景技術】
【０００２】
近年、無線の大容量伝送に伴い、無線周波数として広帯域なミリ波（約３０ＧＨｚ〜３００ＧＨｚ）の利用が広がりつつある。また、Ｐ２Ｐの無線通信においてもミリ波の利用が広がりつつある。Ｐ２Ｐの無線通信では、対向する無線通信装置間にて、受信レベルが最大となるように、アンテナを適切な方向に調整することが重要である。しかし、周波数が高いミリ波の無線伝送では、アンテナの指向性が高く、高精度な方向調整が必要という課題があった。
【０００３】
特許文献１には、ミリ波の無線伝送に用いられるオフセット型のパラボラアンテナ装置が開示されている。特許文献１のパラボラアンテナ装置では、アンテナに粗調整用の照準器が接続され、当該粗調整用の照準器を用いて、アンテナ本体の向きをおおむね調整する粗調整を行い、アンテナによる電波の受信感度を用いて、アンテナ本体の向きを精度よく微調整している。
【０００４】
また、特許文献２には、衛星通信用のパラボナアンテナに照準器が接続された構造が開示されている。
【先行技術文献】
【特許文献】
【０００５】
【特許文献１】特開２０１２−１２４７７７号公報
【特許文献２】米国特許出願公開第２００３／０１０７５２５号明細書
【発明の概要】
【発明が解決しようとする課題】
【０００６】
しかし、特許文献１に開示の構造では、アンテナに照準器が接続される構造であるため、当該照準器を、汎用のアンテナの方向調整に用いることはできない。また、特許文献１に開示の構造は、アンテナの上方に粗調整用の照準器が接続され、アンテナの送受信面の裏面に粗調整用の調整手段が配置されている。このため、照準器と粗調整用の調整手段との位置関係が遠く、照準器を覗きながら行う粗調整の操作性が悪いという問題があった。
【０００７】
また、特許文献２に開示の構造も、アンテナに照準器が接続される構造であるため、当該照準器を、汎用のアンテナの方向調整に用いることはできない。また、特許文献２に開示の構造は、アンテナの左端に照準器が接続され、三脚の上部に方向調整用の機構が配置されている。このため、照準器と方向調整用の機構との位置関係が遠く、照準器を覗きながら行う調整の操作性が悪いという問題があった。
【０００８】
さらに、三脚等のアンテナの設置場所の方向調整機能では、高精度な方向調整が困難であるという問題があった。
【０００９】
本発明は、このような問題点を解決するためになされたものであり、汎用のアンテナに用いることができ、照準器を覗きながら行う調整の操作性がよく、且つアンテナの設置場所の方向調整機能とは別に独立した方向調整機能を有するアンテナ取り付け部材を提供することを目的とする。
【課題を解決するための手段】
【００１０】
本発明の第１の態様にかかるアンテナ取り付け部材は、Ｐ２Ｐ（Ｐｏｉｎｔ ｔｏ Ｐｏｉｎｔ）無線通信装置のアンテナを設置場所に設置するアンテナ取り付け部材であって、照準器取り付け部材と、前記アンテナ取り付け部材に対する前記アンテナの方向を調整する調整機構と、を備えるものである。
【発明の効果】
【００１１】
本発明により、汎用のアンテナに用いることができ、照準器を覗きながら行う調整の操作性がよく、且つアンテナの設置場所の方向調整機能とは別に独立した方向調整機能を有するアンテナ取り付け部材を提供することができる。
【図面の簡単な説明】
【００１２】
【図１】本発明の実施の形態１にかかるアンテナ取り付け部材を用いてアンテナを設置場所に設置した機構例を示す図である。
【図２】図１のアンテナとアンテナ取り付け部材と三脚とを切り離した状態を示す図である。
【図３】本発明の実施の形態１にかかるアンテナ取り付け部材の機構の一例を示す図である。
【図４】図３の具体例を示す図である。
【図５】本発明の実施の形態１にかかるアンテナ取り付け部材とアンテナとの接合部分の機構の一例を示す図である。
【図６】本発明の実施の形態２にかかるアンテナ取り付け部材の機構の一例を示す図である。
【図７】本発明の実施の形態２にかかるアンテナ取り付け部材の機構の他の例を示す図である。
【図８】本発明の実施の形態３にかかるアンテナ取り付け部材の機構の一例を示す図である。
【図９】本発明のその他の実施の形態にかかるアンテナ取り付け部材とアンテナとの接合部分の機構の一例を示す図である。
【発明を実施するための形態】
【００１３】
実施の形態１
以下、図面を参照して本発明の実施の形態１について説明する。まず、図１を用いて、本発明の実施の形態１にかかるアンテナ取り付け部材を用いてアンテナを設置場所に設置した機構例について説明する。図１の例では、設置場所は三脚３である。なお、設置場所は、三脚に限らず、ポール等でもよい。図１の例では、アンテナ１は、アンテナ取り付け部材２に取り付けられている。また、アンテナ取り付け部材２は、三脚３に取り付けられている。なお、アンテナ１とアンテナ取り付け部材２との取り付け構造、及びアンテナ取り付け部材２と三脚３との取り付け構造は、どのような構造であってもよい。
【００１４】
図２は、図１のアンテナ１とアンテナ取り付け部材２と三脚３とを切り離した状態を示す図である。
【００１５】
アンテナ１は、Ｐ２Ｐ無線通信装置のアンテナである。また、アンテナ１は、パラボラアンテナである。なお、アンテナ１は、オフセット型のパラボラアンテナでもセンターフィード型のパラボラアンテナでもよい。また、アンテナ１は、例えば、ミリ波にて無線通信を行うアンテナとして用いるものである。
【００１６】
アンテナ１は、アンテナ本体１１と、保持部１２と、を備えている。アンテナ本体１１は、保持部１２に接続される。保持部１２は、アンテナ取り付け部材２に取り付けられる。なお、保持部１２は、アンテナ１の一部ではないこともある。すなわち、保持部１２は、アンテナ１の一部、アンテナ取り付け部材２の一部、アンテナ１及びアンテナ取り付け部材２の一部ではない単体で存在するもの、のいずれの場合もあり得る。
【００１７】
三脚３は、その上部に方向調整用の機構を備えている。当該方向調整用の機構とは、例えば、水平方向と垂直方向の２座標軸について調整が可能な機構である。この機構により、三脚３は、アンテナ１の方位角と仰角とを調整することができる。なお、三脚３の方向調整用の機構は、公知の機構であり、説明を省略する。
【００１８】
続いて、図３を用いて、本実施の形態１にかかるアンテナ取り付け部材２について説明する。アンテナ取り付け部材２は、照準器取り付け部材２１と、調整機構２２と、を備えている。
【００１９】
照準器取り付け部材２１は、例えば金属により構成されるものである。なお、照準器取り付け部材２１は、金属以外のもので構成されてもよい。
【００２０】
上述したように、三脚３は、その上部に方向調整用の機構を備えている。また、照準器取り付け部材２１は、三脚３の上部に近い位置に配置されている。このため、照準器取り付け部材２１と、三脚３の方向調整用の機構との位置関係は、特許文献１及び２における照準器と方向調整用の機構との位置関係よりも近いものとなる。
【００２１】
調整機構２２は、アンテナ取り付け部材２に対するアンテナ１の方向を調整するための調整機構である。図３の例では、調整機構２２は、アンテナ取り付け部材２に対するアンテナ１の水平方向を調整するための調整機構である。
【００２２】
続いて、図４を用いて、図３のアンテナ取り付け部材２の具体例について説明する。アンテナ取り付け部材２は、照準器取り付け部材２１と、調整機構２２と、固設部２３と、を備えている。
【００２３】
図４の例では、照準器取り付け部材２１は、その一部が機械的な照準器２４を構成するものである。機械的な照準器２４は、凸型の照星及び凹型の照門を有する機械的な照準器である。なお、後に実施の形態２にて説明するが、照準器取り付け部材は、その一部が機械的な照準器を構成するものに限らない。
【００２４】
機械的な照準器２４は、対向する無線通信装置を目視にて捕捉するための照準器である。アンテナ設置者は、機械的な照準器２４を覗きながら三脚３の方向調整用の機構によりアンテナ１の方向を調整する。
【００２５】
調整機構２２は、支柱２５と、ハンドル２６と、を備える。調整機構２２については、後に図５を用いて詳述する。
【００２６】
固設部２３は、後に図５を用いて説明するおねじ４１〜４４と螺合する４つのめねじにより構成される。
【００２７】
続いて、図５を用いて、図４のアンテナ取り付け部材２の調整機構２２について説明する。図５の例では、保持部１２には、保持部１２を貫通する孔１３〜１７が設けられている。孔１４〜１６は、円弧状の孔である。また、孔１３は、円形の孔であり、孔１７は、長方形の孔である。孔１３、孔１４、孔１５、孔１６、孔１７は、それぞれおねじ４１、おねじ４２、おねじ４３、おねじ４４、めねじ４５用の孔である。
【００２８】
保持部１２とアンテナ取り付け部材２とは、おねじ４１〜４４と固設部２３のめねじにより接続される。おねじ４１は、調整機構２２によるアンテナ１の水平方向を調整する際に支点となるねじである。おねじ４１〜４４と固設部２３のめねじとの螺合をゆるめた状態では、おねじ４２〜４４及びめねじ４５の保持部１２に対する位置は、それぞれ孔１４〜１７の形状に沿って動かすことができる。
【００２９】
支柱２５は、めねじ４５と螺合するおねじを備えている。ハンドル２６を回転させると、支柱２５のおねじとめねじ４５との螺合位置が、支柱２５の長手方向に変化する。これにより、保持部１２は、おねじ４１を支点として、アンテナ取り付け部材２に対して、孔１４、孔１５、孔１６の円弧に沿って水平方向に回動する。また、この回動にともない、めねじ４５は、孔１７内で孔１７の長手方向に動く。
【００３０】
支柱２５のおねじは、例えば外形が１０ｍｍ、ピッチが１．５ｍｍであるとする。この場合、ハンドル２６を１周回すと、支柱２５のおねじとめねじ４５との螺合位置は、支柱２５の長手方向に１．５ｍｍ変化する。この１．５ｍｍの変化に応じて、保持部１２と共にアンテナ本体１１が、アンテナ取り付け部材２に対して、水平方向に回動するため、アンテナ１の水平方向を微調整することができる。なお、調整機構２２による調整は、例えばアンテナ１による電波の受信レベルを用いて、受信レベルが最大となるように行う。
【００３１】
なお、調整機構２２による調整の際、おねじ４１〜４４と固設部２３のめねじとの螺合はゆるめた状態である。しかし、このとき支柱２５のおねじとめねじ４５とは螺合されている。このため、調整機構２２による調整の際、風等によりアンテナ１の方向が変更されることを防ぐことができる。
【００３２】
なお、図３〜図５の例では、調整機構２２が、アンテナ取り付け部材２に対するアンテナ１の水平方向を調整するものとして説明したが、これに限らない。調整機構２２は、アンテナ取り付け部材２に対するアンテナ１の垂直方向を調整するための調整機構でもよいし、水平方向及び垂直方向を調整するための調整機構でもよい。
【００３３】
以上のように、実施の形態１にかかるアンテナ取り付け部材２は、照準器取り付け部材２１を備える構成としている。すなわち、実施の形態１にかかるアンテナ取り付け部材２では、照準器は、アンテナ１ではなく、アンテナ取り付け部材２に接続される構成である。また、三脚３等の設置場所の方向調整用の機構と照準器取り付け部材２１との位置関係は近いものとなる。これにより、汎用のアンテナに用いることができ、照準器を覗きながら行う調整の操作性がよいアンテナ取り付け部材を提供することができる。
【００３４】
また、実施の形態１にかかるアンテナ取り付け部材２は、アンテナ取り付け部材２に対するアンテナ１の方向を調整する調整機構２２を備える構成としている。これにより、三脚３等のアンテナの設置場所の方向調整機能とは別に独立した方向調整機能を有するアンテナ取り付け部材を提供することができる。
【００３５】
したがって、汎用のアンテナに用いることができ、照準器を覗きながら行う調整の操作性がよく、且つアンテナの設置場所の方向調整機能とは別に独立した方向調整機能を有するアンテナ取り付け部材を提供することができる。
【００３６】
また、照準器取り付け部材２１の照準器を用いて、設置場所の方向調整機能によりアンテナ１の向きをおおむね調整する粗調整を行い、アンテナ１による電波の受信レベルを用いて、調整機構２２によりアンテナ１の向きを精度よく微調整することもできる。
【００３７】
なお、照準器取り付け部材２１は、その一部が機械的な照準器２４を構成するような構造とすることもできる。これにより、アンテナ設置者は、照準器取り付け部材のみにより、対向する無線通信装置を目視にて捕捉することができる。
【００３８】
実施の形態２
続いて、図６及び図７を用いて、本発明の実施の形態２にかかるアンテナ取り付け部材について説明する。
【００３９】
まず、図６について説明する。図６のアンテナ取り付け部材５は、照準器取り付け部材５１と、調整機構２２と、固設部２３と、を備えている。なお、調整機構２２及び固設部２３については、実施の形態１の調整機構２２及び固設部２３と同様であり、説明を省略する。
【００４０】
照準器取り付け部材５１は、その一部が機械的な照準器を構成するものではなく、光学的照準器が取り付けられる構造を備えるものである。図６の例では、照準器取り付け部材５１は、ライフルスコープ５２が取り付けられる構造を備えている。このため、照準器取り付け部材５１では、光学的照準器を用いることにより、照準器取り付け部材２１における機械的な照準器２４に比べ、対向する無線通信装置の捕捉をさらに高精度に行うことができる。
【００４１】
次に、図７について説明する。図７のアンテナ取り付け部材６は、照準器取り付け部材６１と、調整機構２２と、固設部２３と、を備えている。なお、調整機構２２及び固設部２３については、実施の形態１の調整機構２２及び固設部２３と同様であり、説明を省略する。
【００４２】
照準器取り付け部材６１は、照準器取り付け部材２１及び照準器取り付け部材５１の両方の特徴を備えている。すなわち、照準器取り付け部材６１は、その一部が機械的な照準器２４を構成するものであり、且つ光学的照準器が取り付けられる構造を備えるものである。このため、照準器取り付け部材６１では、機械的な照準器による捕捉及び光学的照準器による捕捉の両方を行うことができる。
【００４３】
以上のように、実施の形態２にかかるアンテナ取り付け部材は、光学的照準器が取り付けられる構造を備えている。これにより、機械的な照準器に比べ、対向する無線通信装置の捕捉をさらに高精度に行うことができる。また、実施の形態２にかかるアンテナ取り付け部材は、その一部が機械的な照準器を構成し、且つ光学的照準器が取り付けられる構造とすることもできる。これにより、機械的な照準器による捕捉及び光学的照準器による捕捉の両方を行うことができる。
【００４４】
実施の形態３
続いて、図８を用いて、本発明の実施の形態３にかかるアンテナ取り付け部材について説明する。図８のアンテナ取り付け部材７は、照準器取り付け部材７１と、調整機構２２と、固設部２３と、を備えている。なお、調整機構２２及び固設部２３については、実施の形態１の調整機構２２及び固設部２３と同様であり、説明を省略する。
【００４５】
照準器取り付け部材７１は、機械的な照準器２４と、アーム部７２と、を備えている。機械的な照準器２４については、実施の形態１の機械的な照準器２４と同様であり、説明を省略する。なお、図８の例では、機械的な照準器２４を備える構成としているが、これに限らず、光学的照準器が取り付けられる構造、又は機械的な照準器２４を備え、且つ光学的照準器が取り付けられる構造としてもよい。
【００４６】
アーム部７２は、伸縮可能であり、且つ固定可能な構造を有する。アーム部７２は、例えば、スライド構造により伸縮可能とすることができる。また、図示しないストッパ機構により、アーム部７２の長さを、アンテナ設置者の所望の長さに固定可能とすることができる。
【００４７】
以上のように、実施の形態３にかかるアンテナ取り付け部材７は、伸縮可能であり、且つ固定可能な構造を有するアーム部７２を備えている。これにより、アンテナ本体１１の大きさによらず、アンテナ本体１１を外れる最短の位置に照準器が配置されるようにアーム部７２の長さを設定することができる。したがって、汎用のアンテナがどのような大きさであっても、照準器を覗きながら行う調整の操作性がよいアンテナ取り付け部材を提供することができる。
【００４８】
その他の実施の形態
例えば、アンテナ取り付け部材において、照準器取り付け部材の取り付け位置と、調整機構の取り付け位置とが、置換可能な構造としてもよい。これにより、右目と左目のどちらで照準器を覗きたいか、右手と左手のどちらで調整機構のハンドルを操作したいかによって、照準器取り付け部材の取り付け位置及び調整機構の取り付け位置を設定することができる。
【００４９】
また、図９に示すように、アンテナ取り付け部材８が、着脱ガイド８２及び８３を備えるようにしてもよい。着脱ガイド８２及び８３は、アンテナ取り付け部材８を三脚３等の設置場所へ取り付ける際及び取り外す際に使用される一対のレールである。当該一対のレールの形状と三脚３等におけるアンテナ取り付け部材８の取り付け箇所の形状とは、おすめすの関係とする。このため、おすめす形状を合わせることにより、アンテナ取り付け部材８の三脚３等に対する着脱を容易に行うことができる。
【００５０】
また、図９に示すように、照準器取り付け部材８１と着脱ガイド８２とを一体成形した構造としてもよい。
【００５１】
また、図９に示すように、アンテナ取り付け部材８が、アンテナ取り付けガイド８４を備えるようにしてもよい。アンテナ取り付けガイド８４は、アンテナ取り付け部材８に対する保持部１２の取り付け位置を示すラインである。これにより、保持部１２をアンテナ取り付け部材８に取り付ける際に、保持部１２の位置決めが簡単にでき、組み立てを容易に行うことができる。なお、アンテナ取り付けガイド８４は、アンテナ取り付け部材８において、掘り込みにより形成してもよい。
【００５２】
以上、実施の形態を参照して本願発明を説明したが、本願発明は上記実施の形態によって限定されるものではない。本願発明の構成や詳細には、発明のスコープ内で当業者が理解し得る様々な変更をすることができる。
【符号の説明】
【００５３】
１  アンテナ
２、５、６、７、８  アンテナ取り付け部材
３  三脚
１２  保持部
２１、５１、６１、７１、８１  照準器取り付け部材
２２  調整機構
２４  機械的な照準器
５２  ライフルスコープ
７２  アーム部
８２、８３  着脱ガイド
【図１】
0006773307.tif 000002
【図２】
0006773307.tif 000003
【図３】
0006773307.tif 000004
【図４】
0006773307.tif 000005
【図５】
0006773307.tif 000006
【図６】
0006773307.tif 000007
【図７】
0006773307.tif 000008
【図８】
0006773307.tif 000009
【図９】
0006773307.tif 000010